(57)【特許請求の範囲】
【請求項１】
左右に配置した脚体を横梁で一体的に連結し、前記横梁又は脚体に、天板を水平状の姿勢と跳ね上げた姿勢とに起倒自在に枢着している折り畳み式テーブルであって、
前記横梁又は脚体に、外周部に天板の回動中心から放射方向に開口した一対の係合溝が形成されたロック部材を設ける一方、
前記天板の下面のうち前記ロック部材の近傍に、前記係合溝に嵌まることによって天板を起倒いずれかの姿勢に保持するロックピンを、天板の下面に固着された補強部材の内部に摺動自在に装着したハンドルの引っ張り操作によって係合溝から離脱するように設けており、
更に、前記ロックピンを前記係合溝に嵌まる状態に付勢するばね手段を設けている、
折り畳み式テーブル。
【請求項２】
前記ロック部材をカバーで覆っている、
請求項１に記載した折り畳み式テーブル。
【発明の詳細な説明】
【０００１】
【発明の属する技術分野】
本発明は、天板を側面視で水平状態から起立状態に跳ね上げ回動させ得る折り畳み式テーブルに関するものである。
【０００２】
【従来の技術】
天板を起倒自在に構成した折り畳み式テーブルのロック装置は、例えば実開昭５７−１２９４２８号公報や実公平１−１６４１９号公報、実開平７−１８２６号公報、実公平５−３７７７５号公報等に記載されている。
【０００３】
このうち実開昭５７−１２９４２８号公報や実公平１−１６４１９号公報、実開平７−１８２６号公報に記載されているのは、脚体のうち天板の回動中心の近傍に横向きのロックピンを設ける一方、天板の下面に、水平状態と起立状態とで前記ロックピンが選択的に嵌まる一対の係合溝を備えたレバーを回動自在に設け、このレバーを、前記ロックピンに係合する方向にばねで付勢した構成になっており、ばねに抗してレバーを回動させて、ロックピンと係合溝との係合を解除することによって天板を回動させるようにしている。
【０００４】
他方、実公平５−３７７７５号公報に記載されたロック装置は、天板の下面に１本のロックピンを設ける一方、脚体には、天板の起倒動によって前記ロックピンが選択的に嵌まる係合溝を備えたレバーを回動自在に枢着し、このレバーを、その係合溝にロックピンが嵌まった姿勢に保持されるようばねで付勢したもので、ばねに抗してレバーを回動させてロックピンと係合溝との係合を解除すると、天板を回動操作することができる。
【０００５】
【発明が解決しようとする課題】
ところで、この種の折り畳み式テーブルは、天板の回動中心を、当該天板の背面（使用者と反対側の部位）寄りに位置させて、天板を水平状の姿勢にした状態では天板を脚体等で支持すると共に、ロック装置でその水平状態を保持し、且つ、天板を、その背面を下向きにした状態に跳ね上げ回動するようにしている。
【０００６】
そして、前記各先行技術とも、レバーの係合溝の個所を鉤状に形成し、これをロックピンに嵌めることによって水平状態及び起立状態を保持しているが、実公平１−１６４１９号公報、実開平７−１８２６号公報、実公平５−３７７７５号公報のものは、天板を水平に倒した状態で、係合溝が、天板を起立回動させるとロックピンから逃げ勝手となるような方向に開口しているため、水平状に倒した天板の背面寄りの縁部に下向きの大きな力が作用すると、ロックピンが係合溝から離脱して天板が起立方向に回動してしまう虞があると言う問題があった。
【０００７】
他方、実公平５−３７７７５号公報のものでは上記の問題はないが、起立状態でレバーとロックピンとの係合が浅いため、天板を起立状態に保持することの確実性に問題があった。
【０００８】
本発明は、天板を水平状態と起立状態とに確実に保持できるロック装置が備えられた折り畳み式テーブルを提供することを目的とするものである。
【０００９】
【課題を解決するための手段】
請求項１の発明では、左右に配置した脚体を横梁で一体的に連結し、前記横梁又は脚体に、天板を水平状の姿勢と跳ね上げた姿勢とに起倒自在に枢着した折り畳み式テーブルにおいて、前記横梁又は脚体に、外周部に天板の回動中心から放射方向に開口した一対の係合溝が形成されたロック部材を設けている。
【００１０】
一方、前記天板の下面のうち前記ロック部材の近傍に、前記係合溝に嵌まることによって天板を起倒いずれかの姿勢に保持するロックピンを、天板の下面に固着された補強部材の内部に摺動自在に装着したハンドルの引っ張り操作によって係合溝から離脱するように設けている。更に、前記ロックピンを前記係合溝に嵌まる状態に付勢するばね手段を設けている。
【００１１】
請求項２の発明では、請求項１おいて、前記ロック部材をカバーで覆っている。
【００１２】
【発明の奏する効果】
このように、ロック部材の係合溝を、天板の回動中心から放射方向に延びるように形成すると、ロックピンが係合溝から離脱する方向とロックピンの回動方向とがほぼ直交するため、ハンドル操作してロックピンをばね手段に抗して係合溝から離脱させない限り、天板を回動させることはできない。
【００１３】
換言すると、水平状態で天板のどの部位に大きな荷重が作用しても天板が起立方向に回動することはないし、起立状態の天板が外力によって不測に倒れ回動したりすることもなく、天板のロック機能を格段に向上できるのである。
【００１４】
【発明の実施形態】
次に、本発明の実施形態を図面に基づいて説明する。
図１のうち（Ａ）はテーブル１の部分斜視図、（Ｂ）は（Ａ）のＢ−Ｂ視平断面図、図２は要部の分離斜視図、図３は図１（Ｂ）の  ＩＩＩ−ＩＩＩ視断面図、図４及び図５は作用を示す図である。
【００１５】
テーブル１は、前後にキャスター３を設けた左右一対の脚体２と、左右両脚体２の上部間に連結した中空状の横梁４と、両脚体２で支持された天板５とを備えている。天板５の左右両端部寄りの下面には前後方向に延びる補強部材６を固着している。図２に明示するように、補強部材６は断面上向き開口の樋状に形成されており、上面には翼状のフランジを設けている。
【００１６】
図２や図３に示すように、前記補強部材６の側面に、横梁４の背面に沿って延びるブラケット７を溶接等にて固着する一方、横梁４には、当該横梁４に上方から嵌まる形状のロック部材８を溶接にて固着し、このロック部材８と前記ブラケット７とを、横梁４と平行に延びる枢軸９で枢着している。
【００１７】
従って、天板５は前記枢軸９を中心にして水平状態から起立状態まで回動させることができる。天板５を水平にした状態では、前記補強部材６は横梁４の上面で支持されている。
【００１８】
前記ロック部材８のうちテーブル１の背面方向に突出した部位には、上向きに開口したＵ字状の第１係合溝１０と、水平方向に開口したＵ字状の第２係合溝１１とを切り開き形成している。これら両係合溝１０，１１は、前記枢軸９の軸心から放射方向に開口するように設定されていると共に、枢軸９の軸心から両係合溝１０，１１の中心までの距離が同じになるように設定している。
【００１９】
更に、ロック部材８のうち両係合溝１０，１１の個所は、枢軸９を中心とした円弧状のガイド面８ａに形成されている。
【００２０】
前記ブラケット７とこれが取付く補強部材６の側板とには、ロックピン１２が上下動自在に嵌まる上下長手の長穴１３を穿設している。天板５を水平に倒した状態では長穴１３の下部と第１係合溝１０とが重複し、天板５を起立させた状態では長穴１３の下部と第２係合溝１１とが重複するように設定している。従って、ロックピン１２は長穴１３を介して両係合溝１０，１１に選択的に嵌まり係合し得る。
【００２１】
前記ロックピン１２は、補強部材６に内蔵したレバー１４の先端に溶接等にて固着されている。また、レバー１４は上向き開口の断面コ字状に形成されており、ロックピン１２と反対側の基端部を、補強部材６の両側板に貫通したピン１５で枢着している。また、レバー１４の内部には、前記ピン１５に被嵌したねじりばね１６を配置し、このねじりばね１６により、レバー１４を補強部材６の底面に密着した姿勢に付勢している。
【００２２】
更に、前記レバー１４における基端部の上端に、補強部材６の内部に配置した連杆１７の一端を係止し、連杆１７の他端を、補強部材６の端部から露出させたハンドル１８に係止している。ハンドル１８は、補強部材６の内部に摺動自在に装着している。
【００２３】
従って、天板の前端部の方向からハンドル１８を引くと、図４（Ａ）に示すようにレバー１４がばね１６に抗して回動する。すると、ロックピン１２は係合溝１０，１１から離脱するように逃げ回動する。図１（Ｂ）や図３に示すように、ロック部材８はカバー１９で覆われている。
【００２４】
以上の構成において、天板５を水平状に倒した姿勢では、図３に示すように、天板５が横梁４で支持された状態でロックピン１２が第１係合溝１０に嵌り係合しているため、天板５は跳ね上げ回動不能に保持されている。そして、ハンドル１８を引くと、図４（Ａ）に示すようにロックピン１２が第１係合溝１０から離脱して、天板５のロックが解除される。
【００２５】
そして、天板５のロックを解除してから天板５を若干起こしてハンドル１８から手を離すと、ロックピン１２はロック部材８のガイド面に当たり、天板５を起立位置まで回動させて長穴１３と第２係合溝１１とが一致すると、ロックピン１２はねじりばね１６の弾性復元力によって第２係合溝１１に自動的に嵌り係合し、これにより、天板５は起立状態にロックされる。
【００２６】
しかして、両係合溝１０，１１が天板５の回動中心から放射方向に延びているから、ロックピン１５の抜け方向と天板３の回動方向とがほぼ直交することになる。従って、ロックピン１２が両係合溝１０，１１に嵌まった状態で、天板５はいずれの方向にも回動不能に阻止され、その結果、天板５を水平状態は起立状態とに確実にロックできるのである。
【００２７】
この実施形態のように、ロック部材８の円弧状のガイド面８ａを設けると、天板５を起倒させるに際して、ロックピン１２をいわゆる蹴り込み係合によって係合溝１０，１１を対して自動的に且つ確実に係合させることができるので、より好適である。
【００２８】
なお、ロック装置は一方の補強部材６の個所だけに設けても良いし、両方の補強部材の個所に設けても良い。また、天板５の左右中央部に補強部材６を設けて、その部位に１つのロック装置を設けてもよい。天板５の左右両側部にロック装置を設ける場合は、一つのハンドルで二つのレバー１４を同時に回動操作するように構成しても良い。
【００２９】
ところで、テーブル１は、使用に際しては床面上をずれ動かないように保持されいるのが好ましく、収納場所等への移動に際しては容易に移動させ得るようにすることが望ましい。そこで上記のテーブル１は、天板５の起倒操作に連動して一方のキャスター３と接地体２１とを選択的に床面に接地させることにより、テーブル１を床面に対して固定したり移動自在と成したりしている。この点を次に図６〜８に基づいて説明する。
【００３０】
図７の分離斜視図に示すように、脚体２は、断面小判型の中空状支柱２ａと、その下端に溶接等にて固着した下向き開口の水平杆２ｂとで略Ｔ字状に形成されており、水平杆２ｂの内部には、その全長にわたって延びる底板２２を溶接等にて固着している。
【００３１】
前記水平杆２ｂの内部には、支柱２ａの下方の部位から水平杆２ｂの後端に向けて延びるシーソー体２３を配置し、このシーソー体２３の前後中途部を、前記底板２２に突設したブラケット片２４にピン２５で枢着している。また、ピン２５にはねじりばね２６が被嵌しており、図８（Ｂ）に示すように、ねじりばね２６により、シーソー体２３を、その後端が下向きとなる姿勢に付勢している。
【００３２】
そして、前記底板２２の先端部に穿設した透穴２７を介して、後部のキャスター３を前記シーソー体２３の後端に取付けている。従って、シーソー体２３がねじりばね２６に抗して回動すると、後部のキャスター３は上下動する。前部のキャスター３は底板２２の前端に上下動不能に固定されている。
【００３３】
また、底板２２の後端寄り部位のうちキャスター３に接触しない個所に、前記接地体２１を固着している。この接地体２１は、後部のキャスター３が上昇すると床面Ａに接地するように設定している。
【００３４】
更に、脚体の支柱２ａに、下端を前記シーソー体２３の先端に係合させたロッド２８を配置し、このロッド２８を支柱２ａの上方に突設させている。ロッド２８は、支柱２ａの上端に装着したキャップ２９にて摺動自在に保持されている。
【００３５】
そして、図６に示し且つ図８（Ｂ）に一点鎖線で示すように天板５が水平状に倒されると、ロッド２８が下向きに押圧されてシーソー体２３がねじりばね２６に抗して回動し、後部のキャスター３が上昇して接地体２１が床面Ａに載るように設定している。
【００３６】
このように、天板５を水平状に倒すと接地体２１が接地するため、テーブル１のずれ動きが阻止される一方、天板５を起立状態に起こすと、ねじりばね２６によって後部のキャスター３が接地するため、テーブル１を簡単に移動することができる。
【００３７】
なお、接地体２１を高さ調節自在できるようにしても良い。また、本発明では、ロック部材は脚体に取り付けても良い。
【図面の簡単な説明】
【図１】（Ａ）は本発明に係るテーブルの部分斜視図、  （Ｂ）は  （Ａ）の  Ｂ−Ｂ視断面図である。
【図２】要部の分離斜視図である。
【図３】図１の  ＩＩＩ−ＩＩＩ視断面図である。
【図４】作用を示す図である。
【図５】作用を示す図である。
【図６】テーブルの部分正面図である。
【図７】脚体の内部の分離斜視図である。
【図８】（Ａ）は脚体の上部の分離斜視図、  （Ｂ）は脚体の一部破断左側面図である。
【符号の説明】
１  テーブル
２  脚体
４  横梁
５  天板
６  補強部材
８  ロック部材
９  支軸
１０，１１  係合溝
１２  ロックピン
１４  レバー
１６  ねじりばね
１８  ハンドル
【図１】
0003561369.tif 000002
【図２】
0003561369.tif 000003
【図３】
0003561369.tif 000004
【図４】
0003561369.tif 000005
【図５】
0003561369.tif 000006
【図６】
0003561369.tif 000007
【図７】
0003561369.tif 000008
【図８】
0003561369.tif 000009